(57)【特許請求の範囲】
【請求項１】
器体の側部に複数の隔壁を器体の幅方向に並設し、上記隔壁の間に接続導体を接続し得る端子板を配設し、上記隔壁の上面に孔状の係合部を凹設すると共に隔壁の外端面に段状の係止部を設けて端子装置を形成し、上記端子装置を覆う端子カバーを端子装置の上面を塞ぐ横壁と上記横壁の端部から垂下させて隔壁の外端面を覆う縦壁とで側面視略逆Ｌ字状に形成し、横壁から垂下された脚部を係合部に上下に抜き差し自在に係合しつつ縦壁から隔壁側に突設した引掛部を係止部に側方から引掛け係止可能にし、係合部に係合した脚部を支点として縦壁を隔壁から離すように撓ませることで引掛部の係止部への係止を解除可能にしたことを特徴とする開閉器の端子カバー装置。
【請求項２】
上記係合部と係止部とを同一の隔壁に形成するとともに、上記脚部及び引掛部を上記係合部及び係止部に各々対応する位置の端子カバーに形成したことを特徴とする請求項１記載の開閉器の端子カバー装置。
【請求項３】
脚部及び引掛部間に対応する位置の端子カバーに通孔を形成したことを特徴とする請求項２記載の開閉器の端子カバー装置。
【請求項４】
上記係合部と係止部とを器体の幅方向側端部に位置した隔壁に各々形成したことを特徴とする請求項２又は請求項３記載の開閉器の端子カバー装置。
【請求項５】
上記幅方向側端部に位置した隔壁の上端面を他の隔壁の上端面に対して下方位置に位置させたことを特徴とする請求項４記載の開閉器の端子カバー装置。
【発明の詳細な説明】
【０００１】
【発明の属する技術分野】
本発明は、回路遮断器や電磁接触器等の開閉器の端子カバー装置に関するものである。
【０００２】
【従来の技術】
一般に、回路遮断器や電磁接触器（以下、総称して開閉器という）にあっては、その器体の側部に設けた端子装置に接続導体である電源線を接続し、その後、上記端子装置には端子カバーを装着して人が上記接続導体に触れ得ないようにして開閉器の安全性の向上を図っているものである。このような開閉器の端子カバー装置において、端子カバーを端子装置に容易に且つ強固に装着することを期したものとして実開平４−１２３０２４号がある。この例においては、開閉器のうち回路遮断器の場合を示すものであり、図３に示すように、器体１の側部に上下に亘る隔壁２を複数並設し、器体１に内装した開閉接点や開閉機構と連結した端子板３を上記隔壁２の間に配設し、上記隔壁２のうち器体１の幅方向両側端部に配置した隔壁２ａの幅方向の外側面に凹溝状の係合溝２０を上下に亘って形成すると共に隔壁２の外側面に被係止部２１を凹設して端子装置を形成し、一方、上記端子装置の上面を塞ぐ横壁６ａ'と上記横壁６ａ'から垂下した縦壁６ｂ'とで逆Ｌ字状に形成した端子カバー６'には、上記端子カバー６'の幅方向両側端部の縁部において縦壁６ｂ'の上下に亘って横壁に沿わせて挟持片２２を形成すると共に上記一対の挟持片２２の対向面に上下に亘って突条係合部２３を突設し、縦壁６ｂ'に上下に一対の切り込み２６を入れて弾性片２４を形成すると共に上記弾性片２４の内面側に係止部２５を突設し、上記一対の挟持片２２の突条係合部２３を係合溝２０に係合させると共に弾性片２４の係止部２５を被係止部２１に係止させて端子カバー６'を端子装置に装着させているものである。このように、端子カバー６'と端子装置との装着は係止及び係合の２カ所で成されているものであり、端子カバー６'を端子装置に強固に装着させているものである。
【０００３】
【発明が解決しようとする課題】
しかしながら、上述した端子カバー装置にあっては、端子カバー６'を端子装置から取り外すときには、一方の手で弾性片２４を隔壁２から離れる方向に撓ませることで係止部２５と被係止部２１との係止を外しつつ、他方の手により端子カバー６'を持ち上げることで行われるものである。つまり、この例においては、両手を使用しなければ端子装置から端子カバー６'を取り外すことができないものであって、作業上、両手が塞がれることによる不具合が生じるといった問題があった。
【０００４】
本発明は、かかる事由に鑑みて成されたものであり、その目的とするところは、端子装置から端子カバーを外す作業を容易にすることができる開閉器の端子カバー装置を提供することにある。
【０００５】
【課題を解決するための手段】
上記課題を解決するために本発明に係る開閉器の端子カバー装置は、器体１の側部に複数の隔壁２を器体１の幅方向に並設し、上記隔壁２の間に接続導体（図示せず）を接続し得る端子板３を配設し、上記隔壁２の上面に孔状の係合部４を凹設すると共に隔壁２の外端面に段状の係止部５を設けて端子装置を形成し、上記端子装置を覆う端子カバー６を端子装置の上面を塞ぐ横壁６ａと上記横壁６ａの端部から垂下させて隔壁２の外端面を覆う縦壁６ｂとで側面視略逆Ｌ字状に形成し、横壁６ａから垂下された脚部７を係合部４に上下に抜き差し自在に係合しつつ縦壁６ｂから隔壁２側に突設した引掛部８を係止部５に側方から引掛け係止可能にし、係合部４に係合した脚部７を支点として縦壁６ｂを隔壁２から離すように撓ませることで引掛部８の係止部５への係止を解除可能にしたことを特徴とする。これにより、係合部４に脚部７を係合すると共に係止部５に引掛部８を係止して端子装置に装着した端子カバー６を端子装置から取り外すには、縦壁６ｂを摘んで横壁６ａの脚部７を支点として縦壁６ｂを隔壁２から離す方向に撓ませて（矢印Ａ）係止部７に係止した引掛部８を外し、そのままカバー６を上方に持ち上げることにより行われるものであり、縦壁６ｂを撓ませることと端子カバー６を持ち上げるのが同一の手、つまり片手のみ、を使用することで行わせることができるものであり、このように、端子カバー６を端子装置から片手のみで容易に取り外すことができるものである。
【０００６】
また、本発明の請求項２に係る開閉器の端子カバー装置は、請求項１において、上記係合部４と係止部５とを同一の隔壁２に形成するとともに、上記脚部７及び引掛部８を上記係合部４及び係止部５に各々対応する位置の端子カバー６に形成したことを特徴とする。これにより、端子カバー６を同一の隔壁２に係合・係止することができ、つまり、脚部７及び引掛部８とで隔壁２を挟み込む構造にすることができる。
【０００７】
また、本発明の請求項３に係る開閉器の端子カバー装置は、請求項２において、脚部７及び引掛部８間に対応する位置の端子カバー６に通孔９を形成したことを特徴とする。これにより、端子カバー６の脚部７及び引掛部８の位置が常に上面から確認できるものであり、端子カバー６を端子装置に装着する際、特に脚部７を係合部４に挿入する際に便利である。
【０００８】
また、本発明の請求項４に係る開閉器の端子カバー装置は、請求項２又は請求項３において、上記係合部４と係止部５とを器体１の幅方向側端部に位置した隔壁２ａに各々形成したことを特徴とする。これにより、引掛部８と係止部５との係止を外す際には端子カバー６の縦壁６ｂを隔壁２から離れる方向に撓ませて行われるものであるが、端子カバー６の幅方向側端部は自由端であることから、上記端子カバー６の幅方向側端部では撓みを大きくとれるものであって、引掛部８と係止部５との係止を容易に外すことができるものであり、端子カバー６を端子装置から取り外す作業を容易に行わせることができるものである。
【０００９】
また、本発明の請求項５に係る開閉器の端子カバー装置は、請求項４において、上記幅方向側端部に位置した隔壁２ａの上端面を他の隔壁２の上端面に対して下方位置に位置させたことを特徴とする。これにより、端子カバー６の幅方向側端部を下方に撓まるように弾性変形をさせた状態で引掛部８と係止部５とを係止させて端子カバー６を端子装置に装着すると、端子カバー６の弾性変形に伴う弾性力により引掛部８と係止部５とを更に強固に係止させることができるものである。
【００１０】
【発明の実施の形態】
以下、本発明を添付図面に示す実施形態に基づいて説明する。
【００１１】
図１乃至２に本発明の実施の形態の例を示す。本実施例は、開閉器の一例として回路遮断器を示すものである。この回路遮断器は、その器体１が上部筐体１ａと下部筐体１ｂとを一体に結合させて構成されるものであり、上記上部筐体１ａと下部筐体１ｂとの間に開閉接点及び開閉機構を配置し、上記器体１の両側部に上記開閉接点及び開閉機構に電線等の接続導体を電気的に連結させる端子装置を配置して構成されるものである。なお、上記器体１は樹脂等の絶縁体で形成されている。
【００１２】
この端子装置は、水平板状の端子台１０が器体１の上下方向の略中央部から突設されると共に、器体１の上下方向に亘って形成された複数の隔壁２が器体１の幅方向に等間隔に配置され、上記複数個の隔壁２により上記端子台１０を区分けして複数の部屋状の凹設部分を並設している。なお、上記複数の隔壁２のうち、幅方向の両側端部に位置した隔壁２ａは他の隔壁２と比較して上下方向に短く形成され、上記一対の隔壁２ａの上端面は他の隔壁２の上端面に対して下方位置に位置されている。そして、この凹設部分の端子台１０には、その表面を被覆するようにコ字状金属片の端子板４が配設され、上記端子台１０及び端子板４を上下方向に貫通する端子螺子１１が端子台１０に対して螺合している。ここで、端子板４は器体１に内装した開閉接点や開閉機構に電気的に連結しているものであり、また、端子台１０及び端子板３を貫通して螺合した端子螺子１１はその頭部１１ａと端子板３との間に接続導体（図示せず）を挟持させるものであり、上記端子螺子１１と端子板３とで挟持された接続導体は端子板３を介して上記開閉接点や開閉機構に電気的に接続されるものである。
【００１３】
上記のような端子装置には、接続導体、端子板３及び端子螺子１１等の導電部分を人が触れないようにする安全上の理由から、上記導電部分の露出を塞ぐように端子カバー６を端子装置の上面から被覆するように装着されるものである。この端子カバー６は、扁平板状に形成された横壁６ａと上記横壁６ａの端部から上記横壁６ａに対して直交方向に延出した縦壁６ｂとを側面視略Ｌ字状に一体に形成したものである。ここで、縦壁６ｂには接続導体を端子装置の凹設部分の導電部分に導入するための切欠部１２が端子装置の凹設部分に対応して複数形成されており、このため、縦壁６ｂは正面視略櫛型形状をしているものである。
【００１４】
上述したように端子装置には上記端子カバー６が上面から被覆するように装着されるものであるが、この端子装置と端子カバー６との取付構造を以下に示す。
【００１５】
端子装置においては、器体１の幅方向両側端部に位置した隔壁２ａに上面に開口すると共に上下方向に穿設された孔状の係合部４を設け、また、上記隔壁２ａの外面（隔壁２ａの器体１からの突出方向の先端面）の中央部分に上下に亘って凹条溝１３を凹設し、この凹条溝１３は上面端部近傍で溝深さを浅く形成して段部１４を形成している。この凹条溝１３内の段部１４は係止部５を構成している。横壁６ａと縦壁６ｂとの間に係止部５に係止される引掛部８を形成している。ここで、脚部７は横壁６ａから略垂直方向に突出した柱状体で形成されたものであり、また、引掛部８は横壁６ａと縦壁６ｂとの間に連結して配置された板状片で形成されたものであり、横壁６ａ及び縦壁６ｂから離れた位置の角部には段部１４に引っ掛ける爪部１５が形成されている。また、端子カバー６に設けた脚部７及び引掛部８間に対応する位置、つまり、横壁６ａの幅方向両側端部には横壁６ａを貫通する通孔９が設けられている。
【００１６】
上記端子カバー６の端子装置への装着は、横壁６ａの脚部７を隔壁２ａの係合部４に挿入して係合させて端子装置への端子カバー６の装着の際の位置決めを行い、そして、縦壁６ｂの引掛部８を隔壁２ａの凹条溝１３に沿わせて端子カバー６を端子装置の下方向にスライド移動させ、横壁６ａを隔壁２の上面に当接させると共に縦壁６ｂを隔壁２の外面に当接させるようにして引掛部８の爪部１５を係止部５の段部１４に係止させて行われるものである。なお、通孔９により端子カバー６の脚部７及び引掛部８の位置は常に上面から確認できるものであり、端子カバー６の横壁６ａの脚部７を隔壁２ａの係合部８に挿入する際の目印となり便利が良いものである。上述したように端子装置に装着された端子カバー６は、脚部７と係合部４との係合により端子装置の左右方向に規制をされるものであり、また、引掛部８と係止部５の係止により端子装置の上方向に規制をされるものであり、また、横壁６ａと隔壁２の上面との当接により端子装置の下方向に規制をされるものであり、このように上下左右方向に規制をされていることから、端子装置に装着された端子カバー６は強固に装着されているものである。
【００１７】
ここで、本例では、係合部４及び係止部５がそれぞれ器体１の幅方向両側端部に位置した隔壁２ａに設けられて脚部７及び引掛部８と係合・係止して端子装置に端子カバー６を装着していることから、端子装置への端子カバー６の取付構造は上記脚部７と引掛部８とで隔壁２ａを挟み込む構造になっており、端子装置への端子カバー６の装着は強固に行われているものである。
【００１８】
上述したように、係合部４に脚部７を係合すると共に係止部５に引掛部８を係止して端子装置に装着した端子カバー６を端子装置から取り外すには、縦壁６ｂを摘んで横壁６ａの脚部７を支点として縦壁６ｂを隔壁２から離す方向（矢印Ａ）に撓ませて係止部７に係止した引掛部８を外し、そのまま端子カバー６を上方に持ち上げることにより行われるものである。このように縦壁６ｂを隔壁２から離す方向（矢印Ａ）に撓ませた際には、縦壁６ｂよりも上位置に位置した横壁６ａの脚部７が支点とすることで結果的に端子カバー６に上方向の力を加えることになり、そのまま端子カバー６を上方に持ち上げる動作を連続して行うことができるものであり、縦壁６ｂを撓ませること及び端子カバー６を持ち上げることとを同一の手、つまり片手のみで行わすことができるものであり、端子カバー６を端子装置から片手のみで容易に取り外すことができるものであり、作業上両手が塞がれることによって生じる恐れのあった不具合を解消するものである。
【００１９】
ここで、本例では、係合部４及び係止部５を器体１の幅方向側端部に位置した隔壁２ａに各々形成してあり、上記係止部５に係止するために係止部５の配置位置に対応して端子カバー６に設ける引掛部８は端子カバー６の縦壁６ｂの幅方向側端部に位置させて設けられるものであり、端子カバー６の幅方向側端部は自由端であることから、上記端子カバー６の幅方向側端部の撓みは大きくすることができるものであって引掛部８と係止部５との係止を容易に外すことができる構造になっているものである。
【００２０】
また、本例では、並設された隔壁２のうち幅方向側端部に位置した隔壁２ａの上面が他の隔壁２の上面に比べて低い位置に位置しており、そして、端子カバー６の横壁６ａは隔壁２の上面に当接して端子装置に装着されるものであることから、上記他の隔壁２の上面に当接した端子カバー６の横壁６ａは幅方向側端部に位置した隔壁２ａの上面には当接しないものであり、つまり、端子カバー６の撓みを上記幅方向側端部の部分で更に大きくとることができ、引掛部８と係止部５との係止を更に容易に外すことができる構造になっているものである。
【００２１】
【発明の効果】
上記のように本発明の請求項１記載の開閉器の端子カバー装置にあっては、器体の側部に複数の隔壁を器体の幅方向に並設し、上記隔壁の間に接続導体を接続し得る端子板を配設し、上記隔壁の上面に孔状の係合部を凹設すると共に隔壁の外端面に段状の係止部を設けて端子装置を形成し、上記端子装置を覆う端子カバーを端子装置の上面を塞ぐ横壁と上記横壁の端部から垂下させて隔壁の外端面を覆う縦壁とで側面視略逆Ｌ字状に形成し、横壁から垂下された脚部を係合部に上下に抜き差し自在に係合しつつ縦壁から隔壁側に突設した引掛部を係止部に側方から引掛け係止可能にし、係合部に係合した脚部を支点として縦壁を隔壁から離すように撓ませることで引掛部の係止部への係止を解除可能にしたので、このように係合部に脚部を係合すると共に係止部に引掛部を係止して端子装置に装着した端子カバーを端子装置から取り外すには、縦壁を摘んで横壁の脚部を支点として縦壁を隔壁から離す方向に撓ませて係止部に係止した引掛部を外し、そのままカバーを上方に持ち上げることにより行われるものであり、縦壁を撓ませることと端子カバーを持ち上げるのが同一の手、つまり片手のみ、を使用することで行わせることができるものであり、このように、端子カバーを端子装置から片手のみで容易に取り外すことができるものであり、作業上両手が塞がれることによって生じる恐れのあった不具合を解消するものである。
【００２２】
また、本発明の請求項２記載の開閉器の端子カバー装置にあっては、請求項１の効果に加えて、上記係合部と係止部とを同一の隔壁に形成するとともに、上記脚部及び引掛部を上記係合部及び係止部に各々対応する位置の端子カバーに形成したので、端子カバーを同一の隔壁に係合・係止することができ、つまり、脚部及び引掛部とで隔壁を挟み込む構造にすることができ、端子装置への端子カバー６の装着を強固に行わせることができるものである。
【００２３】
また、本発明の請求項３記載の開閉器の端子カバー装置にあっては、請求項２の効果に加えて、脚部及び引掛部間に対応する位置の端子カバーに通孔を形成したので、端子カバーの脚部及び引掛部の位置が常に上面から確認できるものであり、端子カバーを端子装置に装着する際、特に脚部を係合部に挿入する際に便利である。
【００２４】
また、本発明の請求項４記載の開閉器の端子カバー装置にあっては、請求項２または請求項３の効果に加えて、上記係合部と係止部とを器体の幅方向側端部に位置した隔壁に各々形成したので、引掛部と係止部との係止を外す際には端子カバーの縦壁を隔壁から離れる方向に撓ませて行われるものであるが、端子カバーの幅方向側端部は自由端であることから、上記端子カバーの幅方向側端部では撓みを大きくとれるものであって、引掛部と係止部との係止を容易に外すことができるものであり、端子カバーを端子装置から取り外す作業を容易に行わせることができるものである。
【００２５】
また、本発明の請求項５記載の開閉器の端子カバー装置にあっては、請求項４の効果に加えて、上記幅方向側端部に位置した隔壁の上端面を他の隔壁の上端面に対して下方位置に位置させたので、端子カバーの幅方向側端部を下方に撓まるように弾性変形をさせた状態で引掛部と係止部とを係止させて端子カバーを端子装置に装着すると、端子カバーの弾性変形に伴う弾性力により引掛部と係止部とを更に強固に係止させることができるものであって、更に、端子カバー６を端子装置に強固に装着することができるものである。
【図面の簡単な説明】
【図１】本発明の実施の形態の例を示すものであり、端子装置に端子カバーを装着する前の状態を示す斜視図である。
【図２】同上の端子装置に端子カバーを装着した状態の側面部分断面図である。
【図３】従来技術の例を示す斜視図である。
【符号の説明】
１  器体
２  隔壁
３  端子板
４  係合部
５  係止部
６  端子カバー
６ａ  横壁
６ｂ  縦壁
７  脚部
８  引掛部
９  通孔
【図１】
0003664072.tif 000002
【図２】
0003664072.tif 000003
【図３】
0003664072.tif 000004